(57)【特許請求の範囲】
【請求項１】
液不透過性のバックシート、吸収体、液透過性のトップシートの順に配され、外装体に取り付けるための吸収パッドであって、
前記バックシートにおいて前記吸収パッドの前後方向に沿って連続して形成される粘着層と、
前記粘着層の第１の領域を覆う第１の剥離シートおよび前記粘着層の第２の領域を覆う第２の剥離シートと、を有し、
前記トップシートには、前記第１の領域と前記第２の領域との境界部分に対応した位置を示す表示部が設けられることを特徴とする吸収パッド。
【請求項２】
前記トップシートには、前記外装体に対する取り付け位置の目安となる表示部が設けられることを特徴とする請求項１に記載の吸収パッド。
【請求項３】
前記第１の剥離シートおよび前記第２の剥離シートまたはそれらの近傍には、前記第１の剥離シートおよび前記第２の剥離シートを剥離する手順を示す表示部が設けられることを特徴とする請求項１または請求項２に記載の吸収パッド。
【請求項４】
請求項１から請求項３のいずれか一項に記載の吸収パッドを取り付ける位置の目安となる表示部が設けられることを特徴とする外装体。
【請求項５】
請求項１から請求項３のいずれか一項に記載の吸収パッドと、
前記吸収パッドを取り付けるための外装体若しくは請求項４に記載の外装体と
を有する吸収パッドセット。
【請求項６】
請求項４に記載の外装体と、
前記外装体に取り付けるための吸収パッドと
を有する吸収パッドセット。
【発明の詳細な説明】
【技術分野】
【０００１】
本発明は、吸収パッドを外装体に容易に取り付け可能にするための技術に関する。
【背景技術】
【０００２】
従来、排出された体液（以下、単に「液体」とも言う）を有効に吸収させて、外部に漏らさないための吸収体が設けられた尿パッド、軽失禁用パッドなどの吸収パッドが広く知られている。当該吸収パッドは、一般に、下着やおむつカバーなどの外装体に接着固定して取り付けられる。しかし、吸収パッドは、ユーザのおおよその見当で接着され、液体を有効に吸収し、フィット性の良い適正な位置（以下、所望の位置ということがある）に固定されない場合があった。
【０００３】
そこで、特許文献１に記載の吸収パッドでは、吸収パッドの取り付け面に複数の粘着層を設け、複数の粘着層のうち一部を用いて外装体に仮止めし、外装体に固定する位置の調整を図っている。
【先行技術文献】
【特許文献】
【０００４】
【特許文献１】特開２００９−０７７８４２号公報
【発明の概要】
【発明が解決しようとする課題】
【０００５】
しかしながら、特許文献１に記載の吸収パッドでは、仮止めの後、最終的な所望の位置に取り付ける際に、複数の粘着面のそれぞれについて接着しなければならず、所望の位置に固定するまでに手間が掛かる場合があった。
【０００６】
本発明は、吸収パッドを外装体に容易に取り付け可能にする技術を提供することを目的とするものである。
【課題を解決するための手段】
【０００７】
本発明による吸収パッドは、液不透過性のバックシート、吸収体、液透過性のトップシートの順に配され、外装体に取り付けるための吸収パッドであって、バックシートにおいて吸収パッドの前後方向に沿って連続して形成される粘着層と、粘着層の第１の領域を覆う第１の剥離シートおよび粘着層の第２の領域を覆う第２の剥離シートと、を有することを特徴とするものである。
【０００８】
また、本発明による外装体は、当該外装体に取り付けるための吸収パッド若しくは本発明に係る吸収パッドを取り付ける位置の目安となる表示部が設けられることを特徴とするものである。
【０００９】
さらに、本発明による吸収パッドセットは、本発明に係る吸収パッドと、当該吸収パッドを取り付けるための外装体若しくは本発明に係る外装体と、を有することを特徴とするものである。
【発明の効果】
【００１０】
本発明によれば、吸収パッドを仮止めさせやすくなるため、吸収パッドを外装体に容易且つ適正に取り付けることが可能となる。
【図面の簡単な説明】
【００１１】
【図１】本発明の第１の実施形態に係る吸収パッドと、吸収パッドが取り付けられる外装体とを有する装着体の全体図である。
【図２】図１に示す装着体の展開図である。
【図３】図２に示す装着体の分解斜視図である。
【図４】本発明の第１の実施形態に係る、バックシート側から見た吸収パッドの平面図である。
【図５】図４におけるＶ−Ｖ線断面図である。
【図６】本発明の第２の実施形態に係る、トップシート側から見た吸収パッドの平面図である。
【発明を実施するための形態】
【００１２】
以下、図面を参照しながら本発明を実施するための形態を詳細に説明する。
【００１３】
なお、本明細書および特許請求の範囲の記載において、「吸収パッド」は、尿パッド、軽失禁用パッド、生理ナプキンを含み、「尿パッド」は、おむつカバーに取り付けて使用するフラット型の尿パッドも含む。
【００１４】
また、本明細書および特許請求の範囲の記載において、「外装体」は、下着、おむつカバー、パンツ型のおむつ、展開型のおむつ、その他吸収パッドを取り付けて使用するものを含む。
【００１５】
さらに、本明細書および特許請求の範囲の記載において、吸収パッドの前身頃部分から後身頃部分を「前後（上下）方向」とし、それに直交する方向を「左右方向」とする。
【００１６】
本発明の実施形態では、吸収パッドの取り付け面に粘着層を連続して形成し、その粘着層の一部が露出可能となるように、複数の剥離シートを粘着層上に配する。この構成により、仮止めを容易に行うことが可能となり、仮止めにより取り付け位置を調整しつつ、吸収パッドの位置決めを行うことによって、吸収パッドの外装体への取り付けを容易且つ適正に行うことが可能となる。
【００１７】
＜第１の実施形態＞  
図１に本発明の第１の実施形態に係る吸収パッド１と、吸収パッド１が取り付けられる外装体２とを有する装着体１００の全体斜視図を示し、図２に図１に示す装着体１００の展開図を示す。また、図３は、図２に示す装着体１００の分解斜視図である。図１から図３は、外装体２に吸収パッド１が取り付けられた後の状態のものを示す。
【００１８】
本実施形態に係る外装体２は、前身頃領域と、後身頃領域と、これら前身頃領域および後身頃領域をつなぐ股下領域とを有する。本実施形態に係る吸収パッド１は、ユーザによって、外装体２の股下領域付近に接着固定され取り付けられる。
【００１９】
吸収パッド１は、液不透過性のバックシート１１、吸収体１２、液透過性のトップシート１３を順に配し、重ねて接着した積層構造を有しているものである。吸収体１２は、図１および図２中、破線で表される。本実施形態では、吸収パッド１の左右方向における幅は、取り付けられる外装体２の股下領域の当該左右方向における幅を超えないことが望ましいが、これに限られず、股下領域の当該幅を超えてもよい。この場合、股下領域の当該幅を超えた部分については、折り畳んで外装体２の外側に接着させるような構成であっても良い。なお、吸収パッド１のトップシート１３またはバックシート１１には、液体の漏れ防止のために立体ギャザーを設けてもよく、また、吸収パッド１のうち脚周り付近に切欠き部を設けてもよい。さらに、本明細書および特許請求の範囲の記載において、バックシート１１は、その外側面（外装体２に近い方の面）に接着される不図示のカバーシートを含むものであってもよい。このカバーシートは、例えば、薄い不織布にて形成される。
【００２０】
吸収パッド１のトップシート１３には、外装体２に対する取り付け位置の目安となる取り付け表示部１４が設けられ、外装体２の表面のうち吸収パッド１が取り付けられる面には、吸収パッド１を取り付ける位置の目安となる取り付け表示部２４が設けられる。取り付け表示部１４および取り付け表示部２４は、色、模様（図形、デザインを含む）、文字（記号を含む）またはこれらの結合を含んで構成される。取り付け表示部１４は、トップシート１３のうちトップシート１３の端縁部の一部を含む領域に形成され、取り付け表示部２４は、取り付け表示部１４の形状および位置に対応するように外装体２側に形成される。本実施形態では、説明の便宜上、図２に示すように、取り付け表示部１４および取り付け表示部２４は小さい矩形として表し、一対の取り付け表示部１４はトップシート１３において吸収パッドの前後方向端縁部の中心あたりにそれぞれ形成される。吸収パッド１を外装体２に取り付ける際、吸収パッド１の取り付け表示部１４を、外装体２の取り付け表示部２４の位置に合わせるようにすることで、吸収パッド１を所定の位置に取り付けることが可能となる。この所定の位置は、ユーザが取り付けたい所望の位置の基準となる位置である。したがって、ユーザによっては、取り付け表示部１４を取り付け表示部２４に合わせるようにして吸収パッド１を取り付けしても良いし、取り付け表示部１４と取り付け表示部２４とを一定距離離して取り付けても良い。
【００２１】
トップシート１３の下に位置する本実施形態の吸収体１２は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなる吸収性本体１５を、ティシュや不織布等で構成されるコアラップなどの被覆部材１６によって包んだものである。吸収性本体１５を被覆部材１６により包むことで形成される継ぎ目は、例えば、図３に示すように、吸収体１２の上面であって長手方向に沿って形成される。本実施形態の吸収体１２は、前身頃、股下、後身頃に亘るように、細長い形状をしている。本実施形態の吸収体１２は、前後（上下）左右の長さが異なる矩形のものである（図３では、前後（上下）の長さが左右の長さより長くなっている）。なお、本実施形態の吸収体１２の形状はこれに限られず、例えば、前後（上下）左右の長さが同程度の略正方形のもの、前後（上下）端の角が丸く落とされているもの、前後（上下）に延びる楕円形のもの、円形のものなど、さまざまな形状を含む。また、吸収体１２の股下部分に、円弧状をなす一対の切欠き部を形成しても良い。
【００２２】
吸収パッド１のバックシート１１には、外装体２の表面に接着するための粘着層１７が、吸収パッド１の前後方向に沿って連続して形成される。吸収パッド１は、粘着層１７を介して外装体２の表面に接着される。本実施形態では、粘着層１７は、接着剤を含んで構成され、吸収パッド１の前後方向に、２つ並行して設けられる。なお、本実施形態では、粘着層の数が２つであるが、これに限られず、粘着層は少なくとも１つあればよい。
【００２３】
図４は、本発明の第１の実施形態に係る、バックシート１１側から見た吸収パッド１の平面図、図５は、図４のＶ−Ｖ線断面図である。図４および図５は、外装体２に取り付ける前の吸収パッド１を示す。なお、説明の簡略化のため、図５では被覆部材１６の継ぎ目の記載を省略している。
【００２４】
本実施形態では、吸収パッド１の粘着層１７には、剥離シート１８が剥離可能に貼着されている。吸収パッド１の粘着層１７は、剥離シート１８によって覆われ、剥離シート１８は、吸収パッド１の前後方向に配される。本実施形態では、図４に示すように、吸収パッド１の粘着層１７のうち第１の領域１７ａは、第１の剥離シート１８ａに覆われ、粘着層１７のうち第２の領域１７ｂは、第２の剥離シート１８ｂに覆われる。また、本実施形態では、剥離シート１８に切れ込み線が設けられており、掴むことが可能な、いわゆる「きっかけ」（図５中、Ｔで表す）が形成可能になっている。ユーザは、例えば、この「きっかけ」Ｔを摘んで剥離シート１８を剥離することができる。なお、本実施形態では、剥離シート１８の面積が、粘着層１７の面積と等しくなっているが、これに限られず、粘着層１７を覆うものであれば、剥離シート１８は、粘着層１７の面積より大きいものであっても良い。この場合、粘着層１７のうち第１の領域１７ａと第２の領域１７ｂとの境界付近では、第１の剥離シート１８ａの端部が第２の剥離シート１８ｂの端部の上（または下）に重なるように形成されることになる。この構成においては、剥離シート１８に上述した切れ込み線を設ける必要がないものとなる。
【００２５】
第１の剥離シート１８ａおよび第２の剥離シート１８ｂまたはそれらの近傍には、第１の剥離シート１８ａおよび第２の剥離シート１８ｂを剥離する手順を示す順番表示部３４が設けられる。本実施形態では、順番表示部３４は、例えば図５に示すように、第１の剥離シート１８ａ上に印字された丸括弧に数字の１、第２の剥離シート１８ｂ上に印字された丸括弧に数字の２として表される。また、本実施形態では、粘着層１７の第１の領域１７ａの露出する面積は、第２の領域１７ｂの露出する面積より小さくなっており、仮止めを行うために適切な面積となっている。よって、ユーザは、順番表示部３４を参照しながら、粘着する面積の小さい方から順番に粘着層１７を露出することによって、適切に仮止めを行うことが可能となる。なお、粘着する面積の小さい第１の領域１７ａを吸収パッド１のどの位置（例えば吸収パッド１の前側、後側）に形成するかについては、仮止めを行いやすいという効果を達成しうるならば、適宜定めうるものである。
【００２６】
本実施形態に係る、吸収パッド１の外装体２への取り付けの一例を次に説明する。  
（１）ユーザは、先ず、順番表示部３４を参照しながら、粘着する面積の小さい第１の領域１７ａに貼着された第１の剥離シート１８ａを剥離する。  
（２）ユーザは、吸収パッド１の第１の領域１７ａ近傍の取り付け表示部１４を外装体２の一方の取り付け表示部２４に合わせるように、第１の領域１７ａを外装体２の表面に接着させ、仮止めを行う。  
（３）次に、ユーザは、吸収パッド１の第２の領域１７ｂ近傍の取り付け表示部１４を外装体２の他方の取り付け表示部２４に合わせるように、外装体２に対する吸収パッド１の取り付け位置を調整する。このとき、第２の剥離シート１８ｂは、第２の領域１７ｂに貼着されたままなので、その部分は外装体２に接着されず、外装体２との相対位置を調整しやすくなっている。  
（４）調整後、ユーザは、順番表示部３４を参照しながら、粘着する面積の大きい第２の領域１７ｂに貼着された第２の剥離シート１８ｂを剥離する。  
（５）ユーザは、吸収パッド１の第２の領域１７ｂ近傍の取り付け表示部１４を外装体２の他方の取り付け表示部２４に合わせるように、第２の領域１７ｂを外装体２の表面に接着させる。
【００２７】
本実施形態では、粘着層１７を２つの領域において露出可能とすることで、仮止めを容易に行うことを可能にしている。さらに、取り付け表示部１４および取り付け表示部２４を設けることによって、吸収パッド１を所定の位置に容易に取り付けることが可能となる。したがって、この所定の位置を基準として、吸収パッド１の外装体２への取り付けが容易且つ適正に行うことが可能となる。ひいては、液体を適切に吸収させることが可能となる。
【００２８】
このように、本実施形態において、粘着層１７が２つの領域において露出可能になり仮止めが可能となっている構成と、取り付け表示部１４および取り付け表示部２４が設けられる構成とは、吸収パッド１の取り付けが容易且つ速やかに行えるという共通の効果を得ることができるものである。
【００２９】
また、本実施形態によれば、外装体２の同様の位置に吸収パッド１を繰り返し取り付けることが可能となるため、使用回数を重ねても継続して、外装体２の所定の位置に吸収パッド１を取り付けることが可能となる。
【００３０】
吸収パッドに立体ギャザーが設けられている場合、吸収パッドの形状は、立体ギャザーの先端縁に配される糸ゴムの伸縮作用により平らでない形状（例えば、丸まる形状）となる。したがって、外装体も同様に平らでない形状であった場合、吸収パッドの取り付けの位置合わせが困難となる。本実施形態では、従来困難であったこの位置合わせが、取り付け表示部１４および取り付け表示部２４により、容易に行うことが可能となる。
【００３１】
＜第２の実施形態＞  
本発明の第２の実施形態では、第１の実施形態と異ならせ、ユーザが吸収パッドの上面を見るだけで、粘着層１７のうち第１の領域１７ａと第２の領域１７ｂとの境界部分を把握することが可能な表示部を、トップシートに設けることによって、粘着層の露出する場所を容易に知ることを可能にし、仮止め動作に掛かる手間を低減することを可能にしている。
【００３２】
図６は、本発明の第２の実施形態に係る、トップシート１３側から見た吸収パッド６０の平面図であり、外装体２に取り付ける前のものを示す。本実施形態に係る吸収パッドを構成する各要素のうち、同様の機能を有するものについては、第１の実施形態と同一の符号を付してその説明を省略する。
【００３３】
本実施形態では、図６に示すように、トップシート１３には、粘着層１７のうち第１の領域１７ａと第２の領域１７ｂとの境界部分Ｂ（図４を参照）に対応した位置を示す境界表示部（図６中、１点鎖線で表す）４４が設けられる。境界部分Ｂは、例えば、剥離シート１８に設けられた切れ込み線の位置を表したり、剥離シート１８のうち第１の剥離シート１８ａのみを剥離した場合、第２の剥離シート１８ｂと、粘着層１７の露出部分との境界を表わしたりすることとなる。
【００３４】
ユーザは、例えば、吸収パッド６０を外装体２に仮止めするため、第１の剥離シート１８ａを剥いだ後、境界表示部４４を見ることによって、剥離された場所が何処に位置するのかを把握することができ、仮止め動作に掛かる時間を短縮することが可能となる。よって、吸収パッドの外装体２への取り付け作業を、第１の実施形態より容易に遂行できることになる。
【００３５】
＜その他＞  
本発明は、上述した第１の実施形態および第２の実施形態や、随所に述べた変形例に限られることなく、本発明の技術的思想から逸脱しない範囲で、適宜の変更や変形が可能である。
【００３６】
上記各実施形態では、吸収パッドおよび外装体に取り付け表示部が設けられているが、これに限られず、吸収パッドが外装体に容易に取り付け可能という効果を得るものであれば、吸収パッド側のみ、または外装体側のみに取り付け表示部を設けても良い。例えば、吸収パッドが仮止めを行いやすい構成になっていれば、外装体側のみに取り付け表示部を設ける構成であっても良い。また、外装体が下着の場合、一般に、下着の股下領域には、男性用下着の前開き部分や女性用下着のクロッチ部分などが形成されている。したがって、吸収パッド側のみに取り付け表示部１４を設けた場合であっても、当該形成部分を参考にすれば、吸収パッドの位置合わせを容易に行うことが可能である。さらに、外装体側のみに取り付け表示部２４を設けた場合であっても、吸収パッドの外側形状を参考にすれば、吸収パッドの位置合わせを容易に行うことが可能である。例えば、外装体側の表面に吸収パッドを固定する位置を表した、印刷分野で用いられる「トンボ」を、取り付け表示部２４として設けることでも実現可能になる。
【００３７】
また、上記各実施形態の変形例では、仮止めしやすいという本発明の効果を発揮しうるものであれば、吸収パッドおよび外装体のどちらにも取り付け表示部を設けなくてもよい。このような場合であっても、吸収パッドの外側形状、模様等を参考にすれば、外装体の当該形成部分を基準にして吸収パッドの位置合わせを行うことが可能である。例えば、上述した第２の実施形態の変形例では、吸収パッド６０および外装体２のどちらにも取り付け表示部を設けずに、吸収パッド６０のトップシート１３に設けられた境界表示部４４を目安にして、外装体２に取り付けることも可能である。
【００３８】
上記各実施形態では、取り付け表示部１４は、吸収パッドのうちトップシート１３側に設けられているが、バックシート１１側にも設けられて良い。この場合、バックシート１１側の取り付け表示部１４は、例えば、トップシート１３側の取り付け表示部１４に対応する位置（外装体２の取り付け表示部２４と対向する位置）に設けられる。この構成により、取り付け表示部１４と外装体２の取り付け表示部２４とを重ね合わせることが可能となるため、吸収パッドの取り付け位置の調整が行い易くなる。
【００３９】
上記各実施形態では、取り付け表示部１４は、小さい矩形で構成され、トップシート１３において吸収パッドの前後方向端縁の中心あたりに形成されており、また、取り付け表示部２４は、同じく小さい矩形で構成され、取り付け表示部１４の形状に対応するように外装体２側に形成されているが、この限りではない。例えば、取り付け表示部１４は、一対の取り付け表示部１４同士を互いに連結するように形成されるライン状のものであってもよい。また、取り付け表示部１４は、トップシート１３のうちトップシート１３の端縁部の一部を含む領域であれば、どこに形成されても良いものである。さらに、上記各実施形態では、取り付け表示部１４または取り付け表示部２４は、それぞれ２つ設けられているが、これに限らず、１つまたは３つ以上設けられても良い。
【００４０】
上述した第１の実施形態では、複数の剥離シートを剥離する手順を示す順番表示部３４が設けられているが、この限りではなく、順番表示部３４を設けずに、例えば、ユーザが自らの判断で、複数の剥離シートから最初に剥がす剥離シートを選択してもよい。
【００４１】
上記各実施形態では、被覆部材１６が吸収性本体１５を包んでいるが、この限りではなく、仮止めしやすいという所期の目的を達成しうるものであれば、被覆部材１６が無い場合も許容するものである。
【００４２】
また、上記各実施形態に係る吸収パッドおよび外装体を吸収パッドセットとして製造・販売することは当然可能である。
【符号の説明】
【００４３】
１  吸収パッド
２  外装体
１１  バックシート
１２  吸収体
１３  トップシート
１４、２４、３４、４４  表示部
１５  吸収性本体
１６  被覆部材
１７  粘着層
１８  剥離シート
１００  装着体
【図１】
0006459867.tif 000002
【図２】
0006459867.tif 000003
【図３】
0006459867.tif 000004
【図４】
0006459867.tif 000005
【図５】
0006459867.tif 000006
【図６】
0006459867.tif 000007